(57)【要約】【課題】  車用吊掛式オーディオビデオ再生装置の提供。【解決手段】  吊掛用バンドの二端がポータブルオーディオビデオ再生装置の二つの側縁の掛吊孔に組付けられ、並びに吊掛用バンドの帯体が機動車両内のシートに掛けられ、これによりポータブルオーディオビデオ再生装置が機動車両内に吊掛られて使用可能となり、その使用上の便利性を高める。このほか、吊掛用バンドが長さ調整バックルを具え、それは帯体の長さを調整し帯体を結束し、ポータブルオーディオビデオ再生装置を機動車両内に緊密に吊掛るのに供され、機動車両の走行時に発生する振動の影響を防止する。また、吊掛用バンドの帯体中間が２段に分割され二つの中断端が設けられ、この二つの中断端が機動車両のシートのヘッドレストポストに嵌合される形態も可能である。【選択図】        図１
2005251367.tif 000002
【特許請求の範囲】
【請求項１】
車用吊掛式オーディオビデオ再生装置において、ポータブルオーディオビデオ再生装置と吊掛用バンドを具え、
該ポータブルオーディオビデオ再生装置は表示面、二つの側縁、該二つの側縁にそれぞれ開設された掛吊孔を具え、
該吊掛用バンドは帯体を具え、該帯体の二端にそれぞれ第１結合手段が設けられ、該吊掛用バンドが二つの第１結合手段により該ポータブルオーディオビデオ再生装置の二つの掛吊孔内に組付けられ、該第１結合手段がフック又はスリーブとされたことを特徴とする、車用吊掛式オーディオビデオ再生装置。
【請求項２】
請求項１記載の車用吊掛式オーディオビデオ再生装置において、二つの掛吊孔内にそれぞれ吊掛柱が設けられたことを特徴とする、車用吊掛式オーディオビデオ再生装置。
【請求項３】
請求項１記載の車用吊掛式オーディオビデオ再生装置において、吊掛用バンドが少なくとも一つの長さ調整バックルを具え、該長さ調整バックルにより帯体の長さ調整可能とされたことを特徴とする、車用吊掛式オーディオビデオ再生装置。
【請求項４】
請求項１記載の車用吊掛式オーディオビデオ再生装置において、帯体の中間が分割されて帯体が二段に分けられて二つの中断端が形成され、該二つの中断端にそれぞれ第２結合手段が組付けられ、該第２結合手段がフック又はスリーブとされたことを特徴とする、車用吊掛式オーディオビデオ再生装置。
【発明の詳細な説明】
【技術分野】
【０００１】
本発明は一種の吊掛式オーディオビデオ再生装置に係り、特に機動車両用の吊掛式オーディオビデオ再生装置、例えばＤＶＤプレイヤーに関する。
【背景技術】
【０００２】
一般にＤＶＤプレイヤーのようなポータブルオーディオビデオ再生装置はディスプレイパネルを具え、且つこのディスプレイパネルはポータブルオーディオビデオ再生装置の各種情報、例えばＤＶＤプレイヤー中のＤＶＤのオーディオビデオ情報、例えば映画を表示するのに用いられる。
【０００３】
このほか、機動車両は現在、一般家庭生活中で普及している交通工具であり、通勤や旅行に使用され、また、ドライバーを除く後部座席の乗客は上述のＤＶＤプレイヤーを機動車両内に持ち込んで映画観賞することができる。しかし、車内に適当な吊掛装置がないため、後部座席の乗客はＤＶＤプレイヤーを手に持って使用しなければならず、ゆえにこのようなＤＶＤプレイヤーは機動車両内での使用に不便である。このほかＤＶＤプレイヤー等のポータブルオーディオビデオ再生装置を機動車両内に吊掛る時、その固定の緊締度を考慮して機動車両走行時の振動の影響を防止しなければならない。
【発明の開示】
【発明が解決しようとする課題】
【０００４】
本発明の主要な目的は、一種の車用吊掛式オーディオビデオ再生装置を提供し、ポータブルオーディオビデオ再生装置を機動車両内に吊掛て使用できるようにし、その使用上の便利性を増すことにある。
【０００５】
本発明の別の目的は、一種の車用吊掛式オーディオビデオ再生装置を提供し、ポータブルオーディオビデオ再生装置を機動車両内に緊密に固定して機動車両走行時の振動の影響を防止できるようにすることにある。
【課題を解決するための手段】
【０００６】
請求項１の発明は、車用吊掛式オーディオビデオ再生装置において、ポータブルオーディオビデオ再生装置と吊掛用バンドを具え、
該ポータブルオーディオビデオ再生装置は表示面、二つの側縁、該二つの側縁にそれぞれ開設された掛吊孔を具え、
該吊掛用バンドは帯体を具え、該帯体の二端にそれぞれ第１結合手段が設けられ、該吊掛用バンドが二つの第１結合手段により該ポータブルオーディオビデオ再生装置の二つの掛吊孔内に組付けられ、該第１結合手段がフック又はスリーブとされたことを特徴とする、車用吊掛式オーディオビデオ再生装置としている。
請求項２の発明は、請求項１記載の車用吊掛式オーディオビデオ再生装置において、二つの掛吊孔内にそれぞれ吊掛柱が設けられたことを特徴とする、車用吊掛式オーディオビデオ再生装置としている。
請求項３の発明は、請求項１記載の車用吊掛式オーディオビデオ再生装置において、吊掛用バンドが少なくとも一つの長さ調整バックルを具え、該長さ調整バックルにより帯体の長さ調整可能とされたことを特徴とする、車用吊掛式オーディオビデオ再生装置としている。
請求項４の発明は、請求項１記載の車用吊掛式オーディオビデオ再生装置において、帯体の中間が分割されて帯体が二段に分けられて二つの中断端が形成され、該二つの中断端にそれぞれ第２結合手段が組付けられ、該第２結合手段がフック又はスリーブとされたことを特徴とする、車用吊掛式オーディオビデオ再生装置としている。
【発明の効果】
【０００７】
本発明の車用吊掛式オーディオビデオ再生装置は、ポータブルオーディオビデオ再生装置を機動車両内に吊掛て使用できるようにし、その使用上の便利性を増し、更に、ポータブルオーディオビデオ再生装置を機動車両内に緊密に固定して機動車両走行時の振動の影響を防止できるようにしている。
【発明を実施するための最良の形態】
【０００８】
本発明の車用吊掛式オーディオビデオ再生装置は、ポータブルオーディオビデオ再生装置と吊掛用バンドを具え、該ポータブルオーディオビデオ再生装置は表示面と二つの側縁、及び二つの掛吊孔を具え、該二つの掛吊孔がポータブルオーディオビデオ再生装置の二つの側縁に開設されている。
【０００９】
このほか、吊掛用バンドは帯体を具え、該帯体の二端に第１結合手段が設けられ、この二つの第１結合手段が、フック、スリーブより選択され、該吊掛用バンドがこの二つの第１結合手段により上述のポータブルオーディオビデオ再生装置の二つの側縁の二つの掛吊孔内に組付けられる。
【００１０】
これにより、吊掛用バンドの帯体が機動車両のシートに掛けられ、こうしてポータブルオーディオビデオ再生装置が機動車両内で吊掛使用可能とされてその使用上の便利性が高められる。
【００１１】
このほか、上述の吊掛用バンドが長さ調整バックルを具え、それは帯体の長さを調整し帯体を結束するのに用いられ、これにより帯体を機動車両内のシートに掛ける時、長さ調整バックルにより帯体にシートを緊縛させポータブルオーディオビデオ再生装置をしっかりと機動車両内に固定して使用でき、機動車両走行時に発生する振動の影響を防止できる。
【００１２】
或いは、更に上述の吊掛用バンドの帯体中間が２段に分割され二つの中断端が設けられ、且つ吊掛用バンドが更に二つの第２結合手段を具え、該第２結合手段が該中断端に組付けられ、この第２結合手段がフックとスリーブより選択される。この構造により、第２結合手段が機動車両の機動車両のシートのヘッドレストポストに嵌合される。一般に機動車両のシートは座席部とヘッドレスト部に分けられ、このヘッドレスト部は二つのヘッドレストポストで座席部に接続され、ゆえに二つの第２結合手段をこのヘッドレストポストに嵌合させることでポータブルオーディオビデオ再生装置を機動車両内で吊掛使用することができる。
【実施例１】
【００１３】
図１は本発明の実施例の立体図であり、それにはポータブルオーディオビデオ再生装置１と吊掛用バンド２が示される。前述のポータブルオーディオビデオ再生装置１は表示面１１、二つの側縁１２、及び二つの掛吊孔１２０を具え、この二つの掛吊孔１２０は二つの側縁１２に開設され、並びに二つの掛吊孔１２０内に吊掛柱１２１が設けられている。
【００１４】
このほか、吊掛用バンド２は帯体２０を具え、この帯体２０の二端に第１結合手段２１が設けられ、本実施例ではこの二つの第１結合手段２１はフックとされているが、当然スリーブ或いはその他の同等の効果を有する部品を使用することもできる。吊掛用バンド２はこの二つの第１結合手段２１のフックによりポータブルオーディオビデオ再生装置１の二つの側縁１２の吊掛柱１２１に組付けられる。
【００１５】
このほか、吊掛用バンド２は長さ調整バックル２３を具え、この長さ調整バックル２３により吊掛用バンド２の帯体２０の長さが調整される。
【００１６】
使用時には、吊掛用バンド２の帯体２０が機動車両内のシートに掛けられ、こうしてポータブルオーディオビデオ再生装置１が機動車両内で吊掛使用可能とされ、その使用上の便利性が高められる。また、長さ調整バックル２３で吊掛用バンド２の帯体２０の長さを調整でき、これにより帯体２０を機動車両内のシートに掛ける時、長さ調整バックル２３により帯体２０にシートを緊縛させて、ポータブルオーディオビデオ再生装置１を機動車両内にしっかりと位置決めすることができ、これにより機動車両走行時の振動の影響を防止できる。
【実施例２】
【００１７】
図２は本発明の第２実施例の立体図である。図３は本発明の第２実施例の実施状態表示図である。その主要な構造は図１の実施例と同じであるが、本実施例では特に吊掛用バンド３の帯体３０の中間が分割されて２段とされ、且つこれにより二つの中断端３０１が形成され、この吊掛用バンド３が二つの第２結合手段３２を具え、該第２結合手段３２がそれぞれ中断端３０１に組付けられ、本実施例では二つの第２結合手段３２はスリーブとされる。
【００１８】
このほか、図中の機動車両のシート９１は座席部９２とヘッドレスト９３に分けられ、座席部９３に二つの支持孔９２１が凹設され、ヘッドレスト９３より下向きに二つのヘッドレストポスト９３１が延伸され、ヘッドレスト９３は二つのヘッドレストポスト９３１が対応する支持孔９２１内に挿入されることで座席部９２に組付けられる。
【００１９】
これにより、本実施例では、吊掛用バンド３の二端の第２結合手段３２のスリーブが二つのヘッドレストポスト９３１に嵌合され、これによりポータブルオーディオビデオ再生装置１が機動車両内において吊掛使用される目的を達成する。また、吊掛用バンド３の帯体３０に長さ調整バックル３３が設けられ、帯体３０を締めつけて、ポータブルオーディオビデオ再生装置１を緊密に機動車両内に吊掛られるものとされ、これにより機動車両の走行時の振動による影響を防止する。
【実施例３】
【００２０】
図４は本発明の第３実施例の立体図であり、その主要な構造は第２実施例と同じであるが、吊掛用バンド４の二つの第２結合手段４２がフックとされ、上述の各実施例と同様の効果を達成できる。
【００２１】
以上の実施例は本発明の請求範囲を限定するものではなく、本発明に基づきなしうる細部の修飾或いは改変は、いずれも本発明の請求範囲に属するものとする。
【図面の簡単な説明】
【００２２】
【図１】本発明の第１実施例の立体図である。
【図２】本発明の第２実施例の立体図である。
【図３】本発明の第２実施例の実施状態の表示図である。
【図４】本発明の第３実施例の立体図である。
【符号の説明】
【００２３】
１  ポータブルオーディオビデオ再生装置              １１  表示面
１２  側縁                      １２０  掛吊孔      １２１  吊掛柱
２  吊掛用バンド                ２０  帯体          ２１  第１結合手段
２３  長さ調整バックル          ３  吊掛用バンド    ３０  帯体
３０１  中断端                  ３２  第２結合手段  ３３  長さ調整バックル
４  吊掛用バンド                ４２  第２結合手段  ９１  シート
９２  座席部                    ９２１  支持孔      ９３  ヘッドレスト
９３１  ヘッドレストポスト
【図１】
2005251367.tif 000003
【図２】
2005251367.tif 000004
【図３】
2005251367.tif 000005
【図４】
2005251367.tif 000006